【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
光ファイバ通信システムであって、
基準二進信号を受信し、第１信号を生成するように構成されている光信号源であって、前記第１信号が周波数変調されている、光信号源と、
前記第１信号を第２信号に整形するように構成されている光スペクトル整形器であって、前記第２信号が振幅変調されかつ周波数変調されている、光スペクトル整形器と、
を備えており、
伝送ファイバにおける分散に対して前記第２信号の耐性を高めるように、前記第２信号の周波数特性を構成するような前記第１信号の周波数特性、および前記光スペクトル整形器の光特性を特徴とする、光ファイバ通信システム。
【請求項２】
請求項１記載の光ファイバ通信システムにおいて、前記第１信号の周波数エクスカージョンは、断熱チャープ成分を備えている、光ファイバ通信システム。
【請求項３】
請求項２記載の光ファイバ通信システムにおいて、前記第１信号の周波数エクスカージョンは、過渡チャープ成分を備えている、光ファイバ通信システム。
【請求項４】
請求項３記載の光ファイバ通信システムにおいて、前記第１信号の過渡チャープ成分の周波数エクスカージョンは、前記基準ディジタル信号のビット・レート周波数の約０％および約３０％の間である、光ファイバ通信システム。
【請求項５】
請求項１記載の光ファイバ通信システムにおいて、前記第２信号の周波数プロファイルは、実質的に平頂である、光ファイバ通信システム。
【請求項６】
請求項１記載の光ファイバ通信システムにおいて、前記第１信号において、奇数個の０ビットによって分離されている１ビットが約π／２および約３π／２の間で位相ずれとなるように、前記第１信号の周波数エクスカージョンを調節する、光ファイバ通信システム。
【請求項７】
請求項１記載の光ファイバ通信システムにおいて、前記第２信号の周波数エクスカージョンが、前記ビット・レート周波数の１／２倍の奇数整数倍に実質的に等しくなるように、前記第１信号の周波数エクスカージョンを調節する、光ファイバ通信システム。
【請求項８】
請求項１記載の光ファイバ通信システムにおいて、前記第２信号において、奇数個の０ビットによって分離されている１ビットの位相がπの奇数整数倍だけ位相ずれとなるように、前記第１信号の周波数エクスカージョンを調節する、光ファイバ通信システム。
【請求項９】
請求項１記載の光ファイバ通信システムにおいて、前記第２信号の周波数エクスカージョン（Δｆ）と前記第２信号の０ビットの期間Ｔ０との積が１／２の奇数整数倍に実質的に等しくなるように、前記第１信号の周波数エクスカージョンを調節する、光ファイバ通信システム。
【請求項１０】
請求項１記載の光ファイバ通信システムにおいて、前記第２信号の消失率が約１０ｄＢ以上である、光ファイバ通信システム。
【請求項１１】
請求項１記載の光ファイバ通信システムにおいて、前記第２周波数の周波数プロファイルの立ち上がり時間および立ち下がり時間は、前記第２信号の振幅プロファイルの立ち上がり時間および立ち下がり時間よりも速い、光ファイバ通信システム。
【請求項１２】
請求項１記載の光ファイバ通信システムにおいて、前記第２信号の周波数の周波数プロファイルの立ち上がり時間および立ち下がり時間は、前記第１信号の周波数プロファイルの立ち上がり時間および立ち下がり時間よりも速い、光ファイバ通信システム。
【請求項１３】
請求項１記載の光ファイバ通信システムにおいて、前記周波数プロファイルの平頂部分の期間は、前記第２信号の振幅プロファイルを実質的に包含することができる程十分に広い、光ファイバ通信システム。
【請求項１４】
請求項１記載の光ファイバ通信システムにおいて、前記周波数プロファイルの平頂部分の期間は、前記第２信号の振幅プロファイルの中央部分のみを包含する、光ファイバ通信システム。
【請求項１５】
請求項１記載の光ファイバ通信システムにおいて、前記第２信号の振幅プロファイルの中央部分は、前記中央部分のいずれかの側における翼部分とは異なる周波数を有する、光ファイバ通信システム。
【請求項１６】
請求項１記載の光ファイバ通信システムにおいて、前記第２信号の１ビット・パルスは、振幅プロファイルおよび周波数プロファイルを含み、前記周波数プロファイルは平頂状であり、更に、前記振幅プロファイルの翼は、前記周波数プロファイルの平頂部分の外側に位置する、光ファイバ通信システム。
【請求項１７】
請求項１記載の光ファイバ通信システムにおいて、前記第２信号の周波数プロファイルの平頂部分の期間は、前記第２信号の振幅プロファイルの中央部分を包含する、光ファイバ通信システム。
【請求項１８】
請求項１記載の光ファイバ通信システムにおいて、前記第１信号のスペクトル位置を、前記光スペクトル整形器の透過エッジ上に来るように調節する、光ファイバ通信システム。
【請求項１９】
請求項１８記載の光ファイバ通信システムにおいて、前記第１信号のスペクトル位置は、前記光スペクトル整形器の透過スペクトルのピーク対数導関数に実質的に近い、光ファイバ通信システム。
【請求項２０】
請求項１記載の光ファイバ通信システムにおいて、分散ファイバを通じた伝搬の前後双方において、前記第２信号のビット・エラー・レートを同時に最適化するように、前記光スペクトル整形器の傾斜の傾斜を調節する、光ファイバ通信システム。
【請求項２１】
請求項２０記載の光ファイバ通信システムにおいて、前記光スペクトル整形器の傾斜の傾斜や、約０．３８ｄＢ／ＧＨｚ２および約０．６ｄＢ／ＧＨｚ２の間である、光ファイバ通信システム。
【請求項２２】
請求項１記載の光ファイバ通信システムにおいて、前記光スペクトル整形器の３ｄＢ帯域幅は、前記第１信号のビット・レートの約６５％および約９０％の間である、光ファイバ通信システム。
【請求項２３】
請求項１記載の光ファイバ通信システムにおいて、前記光スペクトル整形器の電磁界透過プロファイルは、二次ベッセル・フィルタのそれである、光ファイバ通信システム。
【請求項２４】
請求項１記載の光ファイバ通信システムにおいて、前記光スペクトル整形器の透過プロファイルの対数傾斜は、その透過ピークにおいて実質的に線形である、光ファイバ通信システム。
【請求項２５】
請求項１記載の光ファイバ通信システムにおいて、前記光スペクトル整形器の電磁界透過プロファイルは、四次ベッセル・フィルタのそれである、光ファイバ通信システム。
【請求項２６】
請求項１記載の光ファイバ通信システムにおいて、前記光信号源は、半導体レーザである、光ファイバ通信システム。
【請求項２７】
請求項２６記載の光ファイバ通信システムにおいて、分散ファイバを通じた伝搬の前後双方における前記第２信号のビット・エラー・レートを同時に改善するために、前記レーザのバイアスおよび前記基準二進信号の振幅を調節する、光ファイバ通信システム。
【請求項２８】
請求項２６記載の光ファイバ通信システムにおいて、分散ファイバを通じた伝搬の後における前記第２信号のビット・エラー・レートを改善するために、前記レーザのバイアスおよび前記基準二進信号の振幅を調節する、光ファイバ通信システム。
【請求項２９】
請求項１記載の光ファイバ通信システムにおいて、所望の第２信号を得るために、前記光スペクトル整形器に入射する前記第１光信号の入射角度およびビーム発散の内少なくとも１つを調節する、光ファイバ通信システム。
【請求項３０】
請求項２９記載の光ファイバ通信システムにおいて、前記入射角度は、約１．５および約２度の間である、光ファイバ通信システム。
【請求項３１】
請求項１記載の光ファイバ通信システムにおいて、前記光スペクトル整形器は、マルチキャビティ・エタロン・フィルタである、光ファイバ通信システム。
【請求項３２】
請求項１記載の光ファイバ通信システムにおいて、前記光スペクトル整形器は、エッジ・フィルタである、光ファイバ通信システム。
【請求項３３】
請求項１記載の光ファイバ通信システムにおいて、前記光スペクトル整形器の透過プロファイルの傾斜（単位はｄＢ／ＧＨｚ）を調節することによって、前記第２信号の周波数プロファイルの立ち上がり時間および立ち下がり時間を調節する、光ファイバ通信システム。
【請求項３４】
伝送ファイバを通じて光信号を送信する方法であって、
基準二進信号を受信するステップと、
第１信号を生成するために、前記基準二進信号を用いて光信号源を動作させるステップであって、前記第１信号が周波数変調されている、ステップと、
前記第１信号を第２信号に整形するように、前記周波数変調信号を光スペクトル整形器に通過させるステップであって、前記第２信号が振幅変調および周波数変調されている、ステップと、
前記第１信号の周波数特性および前記光スペクトル整形器の光特性は、伝送ファイバにおける分散に対して前記第２信号の耐性を高めるように、前記第２信号の周波数特性を構成するものであり、
前記第２信号を伝送ファイバに通過させるステップと、
を備えている、方法
【請求項３５】
請求項３４記載の方法において、前記第２信号の周波数エクスカージョンが前記基準ディジタル信号のビット・レート周波数の半分に実質的に等しくなるように、前記第１信号の周波数エクスカージョンを調節する、方法。
【請求項３６】
請求項３４記載の方法において、前記第１信号の周波数エクスカージョンは、断熱チャープ成分を備えている、方法。
【請求項３７】
請求項３４記載の方法において、前記第２信号の周波数プロファイルは実質的に平頂状である、方法。
【請求項３８】
請求項３４記載の方法において、前記第２信号において、奇数個の０ビットによって分離されている１ビットがπだけ位相がずれるように、前記第１信号の周波数エクスカージョンを調節する、方法。
【請求項３９】
請求項３４記載の方法において、前記第２信号において、奇数個の０ビットによって分離されている１ビットが、約π／２および約３π／２の間だけ位相はずれとなるように、前記第１信号の周波数エクスカージョンを調節する、方法。